(57)【要約】【課題】  本発明の個別処理型の空飲料容器分別収納装置により、排出者が排出源で排出のつど容器別の分別収納を行う。そして回収した容器を再資源化、焼却、廃棄等の各処理ラインに直接的に搬入し処理する。そして分別処理作業を省力化し年間数千億円の処理費を低減する。また年間数百億円の再資源化材の売却益を得る。そして多大な分別処理費の問題を解消する。そして良質で割安の再資源化材の直接的供給により再資源化の生産性を向上する。そして再資源化を促進する。【解決手段】  空き缶分別傾斜板３または２３の傾斜によるアルミ缶の滑落と、傾斜板面の永久磁石４または２４によるスチール缶の吸着により、分別収納する。また、ペットボトルとビンのテーパー部による弾力紐３２の網目または弾力羽根４２の拡張収縮による開口と潜り抜け、および、分別傾斜板３３の傾斜によるペットボトルの滑落と、分別孔３４によるビンの潜り抜けにより、分別収納する。【選択図】    図１
2005041671.tif 000002
【特許請求の範囲】
【請求項１】
アルミ缶とスチール缶の空飲料容器分別収納装置において、投入部に、空き缶を横にして胴体面から投入する空き缶投入口（１）と、空き缶の投入と分別に適した傾斜を備えた空き缶投入ガイド（２）を設け、分別部に、空き缶の分別に適した片下がり傾斜を備えた空き缶分別傾斜板（３）と、その上面にスチール缶を吸着できる永久磁石（４）を設け、その下の収納部に、空き缶分別仕切り（５）で仕切ったアルミ缶の収納部とスチール缶の収納部を設けて成る、アルミ缶とスチール缶の空飲料容器分別収納装置。
【請求項２】
アルミ缶とスチール缶の空飲料容器分別収納装置において、投入部に、空き缶を立てて胴体面から投入する空き缶投入口（２１）と、空き缶の投入と分別に適した傾斜を備えた空き缶投入ガイド（２２）を設け、分別部に、空き缶の分別に適した傾倒傾斜を備えた空き缶分別傾斜板（２３）と、その正面側にスチール缶を吸着できる永久磁石（２４）と、スチール缶を永久磁石に吸着させるための空き缶押し付け材（２５）と、空き缶を載せる空き缶載せ板（２６）を設け、その下の収納部に、空き缶分別仕切り（２７）で仕切ったアルミ缶の収納部とスチール缶の収納部を設けて成る、アルミ缶とスチール缶の空飲料容器分別収納装置。
【請求項３】
ペットボトルとビンの空飲料容器分別収納装置において、投入部に、ペットボトルおよびビンを立ててキャップ部から投入するペットボトルおよびビンの投入口（３１）と、ペットボトルおよびビンのテーパー部により直径方向に拡張収縮して開口する弾力紐（３２）を網目状に配して設け、その直下の分別部に、ペットボトルとビンの分別に適した傾斜を備えたペットボトルおよびビンの分別傾斜板（３３）と、その中央部にペットボトルとビンを分別する分別孔（３４）を設け、その下の収納部に、ペットボトルおよびビンの分別仕切り（３５）で仕切ったペットボトルの収納部とビンの収納部を設けて成る、ペットボトルとビンの空飲料容器分別収納装置。
【請求項４】
ペットボトルとビンの空飲料容器分別収納装置において、投入部に、ペットボトルおよびビンを立ててキャップ部から投入するペットボトルおよびビンの投入口（３１）と、その口縁部にペットボトルおよびビンのテーパー部により直径方向に放射状に拡張収縮して開口する弾力羽根（４２）を放射状に配して設け、その直下の分別部に、ペットボトルとビンの分別に適した傾斜を備えたペットボトルおよびビンの分別傾斜板（３３）と、その中央部にペットボトルとビンを分別する分別孔（３４）を設け、その下の収納部に、ペットボトルおよびビンの分別仕切り（３５）で仕切ったペットボトルの収納部とビンの収納部を設けて成る、ペットボトルとビンの空飲料容器分別収納装置。
【請求項５】
「請求項１」または「請求項２」記載のアルミ缶とスチール缶の空飲料容器分別収納装置と、「請求項３」または「請求項４」記載のペットボトルとビンの空飲料容器分別収納装置とを一体化的に組合せて、アルミ缶とスチール缶の分別収納およびペットボトルとビンの分別収納を共に行う、アルミ缶とスチール缶の空飲料容器分別収納装置およびペットボトルとビンの空飲料容器分別収納装置。
【発明の詳細な説明】
【技術分野】
【０００１】
本発明は、主に自動販売機などで販売されている飲料の空容器であるアルミ缶とスチール缶およびペットボトルとビンの分別収納を行うアルミ缶とスチール缶の空飲料容器分別収納装置およびペットボトルとビンの空飲料容器分別収納装置に関する。
【背景技術】
【０００２】
従来一般的に行われている空容器の処理手段は、排出された空容器を空容器収納箱で混合収納する混合収納手段と、そのあと混合収納されたこれらの空容器を回収し分別処理施設で一括して分別処理を行う分別処理手段の、二つの手段により行われるものになっている。
そして、これらの空容器処理手段のうち、混合収納手段については、ゴミ箱と同じような構造の収納箱の上部に丸型の投入口を設け、“缶・ビン・ペットボトル”などのように収納する容器の種別を記しただけの空容器収納箱を自動販売機の周辺などに配備して、一般消費者である排出者が、これらの空容器収納箱に空容器を投入し混合収納するものになっている。
また、そのあとの分別処理手段については、空容器収納箱に混合収納されたこれらの空容器を資源ゴミとして回収し、分別処理施設に搬入して、大掛りな分別処理装置による機械選別と手間の掛かる手選別などにより、多大な処理費とエネルギーを費やして、アルミ缶とスチール缶とペットボトルとビンの各容器別に分別処理を行うものになっている。
このように、従来一般的に行われている空容器の処理手段は、排出者が飲み終わった空容器を資源ゴミとして各空容器収納箱に投げ入れ、混合収納したものを、自治体や業者などが後始末的に回収し、大規模分別処理施設で一括して分別処理を行うために、多大な処理費を要するものとなっている。
そこで、これらの問題を解消するために、各空容器収納箱で混合収納したものを一括して分別処理を行う従来の一括処理型の処理体制ではなく、排出源で排出者がアルミ缶とスチール缶およびペットボトルとビンを投入口に投入するだけで、排出源でアルミ缶とスチール缶およびにペットボトルとビンに分別し収納できる個別処理型の処理体制を整備することが必要になっている。
そして、各排出者が排出源で分別処理と収納処理を共に同時に行うことによって、分別処理施設に搬入して大掛りな分別処理装置による機械選別と手間の掛かる手選別などによる分別処理を省力化して、多大な分別処理費を低減することが必要になっている。
しかし、従来開発されている個別処理型の分別収納装置は、分別確度が不安定で、装置が大きく、構造が複雑で、価格が高く、ペットボトルの分別収納ができないなど種々の問題のあるものになっている。
そのため、これらの装置を自動販売機の周辺や従来の空容器収納箱の置き場所などに、従来の空容器収納箱に替わって配備し、排出源で排出者が的確な分別収納を行っていくことは困難なものになっている。
そこで、これらの問題を的確に解消できる個別処理型の空飲料容器分別収納装置の開発が必要になっている。
【０００３】
つぎに、年間数百億個にのぼる膨大な量のアルミ缶とスチール缶およびペットボトルとビンの空容器が資源ゴミとして排出され混合収納されている。
そして、これらの混合収納された資源ゴミにおいては、再資源化を行うために高い分別純度を必要とするアルミ缶などの容器や、一方、再資源化せずに焼却処理や廃棄処分を行うので、分別純度などは特に必要としない容器など、分別純度や処理の仕方の異なる容器が混在した状態で、自治体や処理業者により資源ゴミとして一括回収されている。
そして、一括回収された資源ゴミを分別処理施設で大掛りな機械選別処理と非常に手間の掛かる手選別処理などにより一括して分別処理が行われるために、必要以上の多大な処理費を要するものになっている。
そこで、分別純度や処理の仕方の異なる容器を資源ゴミとして一括回収し、分別処理施設で一括処理するのではなく、一般消費者である排出者が排出源で容器別に分別収納を行う個別処理型の分別収納装置により、これらの分別収納した容器を排出源で各容器別に回収し、分別純度や処理手段の区分のもとに、再資源化ラインや焼却処理ラインなどに排出源から直接的に運び込んで処理することにより、分別処理施設で行っている大掛りな分別処理を省力化して、年間数千億円にのぼる膨大な処理費を要しているこれらの処理費を大幅に低減することが必要になっている。
【０００４】
つぎに、一般的に販売されている飲料の空容器がゴミとして排出されると、東京都清掃局の資料によると350ｍｌの空き缶については１個当り１３円ほどの処理費が掛かり、1.5リットルのペットボトルについては１本当り５５円ほどの処理費が掛かるものになっている。
そして、これらの空き缶およびペットボトルについては、年間数百億個に及ぶ膨大な量の空容器が資源ゴミとして排出され混合収納されているので、年間数千億円に及ぶ膨大な処理費を要するものになっている。
そして、従来のこれらの空容器処理手段においては、排出者はゴミ箱と同じような構造と機能をもつ空容器収納箱に飲み終わった空容器を単に投げ入れるだけなので、排出者にとっては投入が簡単であるメリットはあるが、しかし、その後処理として、排出者により投げ込まれ混合収納された年間数百億個に及ぶ空容器を自治体や業者などが後始末的に回収し、自治体や業者の処理施設で分別処理を行い、再資源化処理やその他の処理を行うために、年間で年間数千億円に及ぶ膨大な処理費を要するデメリットが生ずるものとなっている。
そして、そのツケが、一般消費者側にも公共費負担増など種々の形で回ってくるデメリットが生ずるものになっている。
また、これらの膨大な処理費のために割高となる再資源化材が再資源化の事業者に供給されることになり、再資源化事業の生産性などの面に種々のデメリットが生ずるものになっている。
そして、これらにより、再資源化事業の促進やリサイクル産業の事業の促進、延いては循環型社会の促進などにも種々のデメリットが生ずるものになっている。
そこで、これらの問題を解消するために、各収納箱から回収した混合収納物を大規模分別処理処理施設で多大な処理費とエネルギーを費やして一括処理を行う一括処理型の分別処理手段ではなく、分別と収納の機能を備えた個別処理型の分別収納装置を自動販売機の周辺やその他の一般排出源などに従来の空容器収納箱に替わって配備し、一般消費者である排出者の協力を得て、排出者が排出時に分別収納を行うこと、そして、これにより合理的効率的な再資源化処理やその他の処理を行うことのできる個別処理型の分別処理手段が必要になっている。
【０００５】
つぎに、従来の空容器収納箱による混合収納の代表的な事例としてはつぎのようなものがあげられる。
ＪＲ駅ホームの自動販売機周辺などにおいては、空容器収納箱の上部に丸型の投入口を設け、かつ、投入する容器の区分表示をしただけのＪＲ専用の空容器収納箱に、アルミ缶とスチール缶とビンとペットボトルの四種類の空容器を纏めて混合収納している。
そして、これらの空容器収納箱は、投入した各容器を容器別に分別して収納する機能は無く、また、投入口の形状以外はＪＲ専用の一般ゴミ収納箱とほぼ同様の構造のものになっている。
そのため、一般のゴミ収納箱と同じように投入された空容器がそのまま直に収納部に落し込まれて混合収納される構造のものになっている。
そして、これらの混合収納された四種類の空容器は、収納箱から一括回収され、分別処理施設で大掛りな分別処理装置により多大な処理費用とエネルギーを費やして、各容器別に分別処理されるものになっている。
このように、ＪＲ専用の収納箱による空容器の処理においては、四種類の空容器を一つの投入口に単に投入するだけなので投入が簡単であること、また、四種類の空容器を一つの収納箱にまとめて収納するので回収が容易であることなどのメリットはあるが、一方、投入した各容器を容器別に分別して収納する機能が無いために、混合収納された四種類の空容器を分別処理施設で大掛りな分別処理装置により多大な処理費用を費やして各容器別に分別処理をしなければならないことなどのデメリットをもつものになっている。
そこで、これらの問題を解消するために、これらの空容器収納箱で混合収納し、一括回収したものを分別処理施設で一括して分別処理を行うのではなく、排出源で排出者がアルミ缶とスチール缶およびペットボトルとビンを投入口に投入するだけで、排出源でアルミ缶とスチール缶およびにペットボトルとビンに分別し収納できる個別処理型の処理体制を整備することが必要になっている。
また、コンビニや大型店の店頭などにおいても、ＪＲと同じように空容器収納箱の上部に丸型の投入口を設け、かつ、投入する容器の区分表示をしただけのコンビニや大型店専用の空容器収納箱に、アルミ缶とスチール缶とビンの三種類の空容器を纏めて混合収納している。
そして、ペットボトルについてはＪＲと異なり別個に収納しているものが一般的なものになっている。
そのため、三種類の空容器については、ＪＲと同じようなメリットとデメリットをもつものになっている。
また、街中や公共施設および事業所などの自動販売機の周辺などに一般的に設置されている空容器専用の収納箱においても、収納箱の上部に丸型の投入口を設け、かつ、投入する容器の区分表示をしただけの一般的な空容器専用の収納箱により、ＪＲやコンビニなどと同じように混合収納を行い、分別処理施設で各容器別に分別処理を行うものになっている。
そのため、ＪＲと同じようなメリットとデメリットをもつものになっている。
【０００６】
また、各家庭などにおいては、収納用の箱や袋を適宜用意して四種類の空容器を混合収納しているケースが多いものになっているが、このように空容器収納用の容器がきちんと整備されていないために適当な容器に何でも投げ入れられてしまうことが、種々の容器が混合収納され排出される根本要因になっている。
そして、これらの混合収納物を回収し分別処理するために、自治体が必要以上の多大な分別処理費を要する問題の根本要因になっている。
そこで、このような適宜用意される収納用の箱や袋で混合収納するのではなく、各家庭などの各排出源で的確な分別収納を行う家庭用の分別収納装置を整備して、これらの混合収納物の分別処理に費やしている多大な分別処理費を大幅に低減することが必要になっている。
しかし、各家庭などにおいては、自動販売機で一般的に販売されている飲料の容器以外に、例えば醤油などの調味料用のペットボトルやビールビンおよび食料品入りの缶など、種々の種類やサイズや形状の容器を分別収納できることが必要になっている。また、缶やペットボトルは潰して排出することなどが自治体より要請されている。
そこで、家庭用の空容器分別収納装置においては、自動販売機で一般的に販売されている飲料の空容器投入口とは別個に、これらの投入口には投入できない醤油などの調味料用のペットボトルやビールビンおよび食料品入りの缶など種々のサイズや形状のものを投入できる専用の投入口を収納部の扉に設けた空容器分別収納装置を各家庭などに配備することによって、これらの問題に対応し解消することが必要になっている。
そしてこれによって、各家庭などにおいて、同一手段で同一レベルの分別収納を各家庭で全般的に行うことにより、各家庭における分別収納を促進し、自治体の抱える資源ゴミ処理問題の根本要因を解消することが必要になっている。
【０００７】
つぎに、従来型の空容器収納箱を用いて行う一般的な分別収納の代表例としては、コンビニや大型店などにおいて、アルミ缶とスチール缶とビンを混合収納する空容器収納箱とは別個に、ペットボトルのみを単品収集するペットボトル専用の収納箱を別個に配備して、ペットボトルについてのみ単品収集による分別収納を行うものになっている。
しかし、これらの部分的な分別収納においては、ペットボトルについては各排出者が分別投入に的確に協力すれば分別収納が成されるが、アルミ缶とスチール缶とビンの三種類の空容器については混合収納を行っているので、従来と同じく分別処理施設で分別処理を行わなければならないものになっている。
そのため、従来型の空容器収納箱による分別収納の手段でペットボトルの外にアルミ缶とスチール缶とビンなどの容器についても分別処理施設での分別処理を行わなくても済むようにするためには、これらの三種類について各容器別の専用収納箱を揃えて配備しなければならないので、そのための経費やスペースの問題が生ずるものになっている。
そして、これらの三種類の収納箱をたとえ各容器別に揃えて配備したとしても、各排出者がこれらの収納箱に的確に各容器別の投入を行わなければ各容器別の分別収納は困難なものになっている。
そして、各排出者が投入するたびごとに、いちいちアルミ缶とスチール缶の表示などを確認し、それぞれの収納箱に確実に区分けして投入しなければならないので、これらの表示確認や区分けの投入が非常に面倒なものになっている。
そこで、これらの分別収納を的確に容易に行うためには、排出者がアルミ缶とスチール缶およびペットボトルとビンをいちいち区分けして各収納箱に投入することなく、アルミ缶とスチール缶およびペットボトルとビンを投入口に投入するだけで、自働的に、かつ、的確にアルミ缶とスチール缶およびにペットボトルとビンに分別し収納できる分別収納装置が必要になっている。
【０００８】
つぎに、従来の一括処理型分別処理装置の問題点を解消するためのものとして種々の個別処理型の空容器分別収納装置が開発されているが、その中で本出願の空飲料容器分別収納装置と特徴や構造の面で比較的同類もので、アルミ缶とスチール缶とビンの分別収納装置を備え、かつ、小型で手動式の個別処理型空容器分別収納装置として、つぎのような公報のものがその一事例として挙げられる。
【特許文献１】特開平１０−３４３９２号公報
【特許文献２】実開平５−４９７０２号公報
【特許文献３】実開平７−４４０２１号公報以下、これらの問題点などについて説明する。
【０００９】
これらの中で、特許文献１の特開平１０−３４３９２号公報については、つぎのような問題のあるものになっている。
その一として、永久磁石を上部に配置してスチール缶を外周上面の線状吸着による不安定な宙吊り状態で吸着しているため、宙吊り状態で移動する際にスチール缶が外れてアルミ缶の収納部に落下し易い状態になるものになっている。
その二として、缶を長手方向に投入し、缶の端面を押し付けて押し出すために、缶のタブや凹凸部による引っかかりや押し付けによる挟まりなどにより、スチール缶に挟まれたアルミ缶が落下しにくい状態となり、アルミ缶がスチール缶と共にスチール缶の収納部に落下し易い状態となるものになっている。
その三として、ビンや缶を長手方向に投入するために、装置が長手方向に長く大きいものになり、自動販売機の周辺やその他従来の空容器収納箱の置き場所などに、従来の空容器収納箱に替わって容易に配備することは困難なものになっている。
そしてさらに、ビンの判別および分別収納の装置と、アルミ缶とスチール缶の判別および分別収納の装置を長手方向に一体化しているために、本体の寸法が長手方向に大きくなり、自動販売機の周辺やその他従来の空容器収納箱の置き場所などに、容易に配備することは困難なものになっている。
そして、この装置には備えられていないペットボトルの判別および分別収納の装置を加えて設置した場合には、装置がさらに大きくなり配備はさらに困難になるものになっている。
その四として、投入部と分別部が直の筒状箱型ケース体となっており、投入物が投入口から奥まで直線的に挿入されるようになっているために、所定の缶やビン以外の異物などが投入された場合などに、異物などが缶の分別部まで直に入り込みアルミ缶の収納部に落下することなどの恐れがあるものになっている。
その五として、この装置の容器判別装置では、スチール缶とアルミ缶とビンの三種類の容器についての分別収納だけであり、ペットボトルの分別収納についてはできないものになっている。
このため、ペットボトルの分別収納装置が別途必要となっている。
その六として、重量による容器判別装置では、例えばスチール缶とペットボトルの重量が共に４０グラムほどあるものなどについては、重量差が小さいために重量による判別は困難なものになっている。また、飲み残しのある容器などについての重量判別も困難なものになっている。
また、減容のために潰したものなど変形したものの分別収納も困難なものになっている。
また、装置が複雑になることや、詰りが生じ易くなることなど、重量による容器の判別においては、種々の問題のあるものになっている。
【００１０】
これに対して、特許文献２の実開平５−４９７０２号公報の分別収納装置においては、永久磁石については上部に配置しているが、傾斜面を設けて容器が傾斜上面を転がり移動することや、缶を長手方向に投入にせずに横にして胴体面から投入することなどによって、前項［０００９］に記述した上部配置の永久磁石による缶の宙吊りや、長手方向の投入による缶の引っ掛かりの問題などについて改良を行っているものになっている。
しかし、この装置においても、つぎのような種々の問題のあるものになっている。
その一として、スチール缶とアルミ缶の分別収納装置および大中小のビンの判別と分別収納装置が一体化しているために、本体の寸法が大きくなり、また、構造も複雑になり、価格も高価なものになっている。そして、この装置には備えられていないペットボトルの判別および分別収納の装置を付加して一体化すると、装置の全体寸法がさらに大きくなるものになっている。
これらのことから、この装置を自動販売機の周辺やその他の一般の排出源などに従来の空容器収納箱に変わって配備し、排出者が手軽に分別収納を行うことなどが困難なものになっている。
その二として、投入口から奥の分別部および収納部まで、直線状の細長いケース体で、かつ、多重のケース体の中を投入物が直線的に挿入される構造になっているために、所定の缶やビン以外の異物などが投入された場合に、密閉された箱型断面の長い傾斜面内に詰りなどが生じ易く、缶やビンの分別収納ができなくなる恐れのあるものになっている。
その三として、シーソー状の重量バランス材による容器判別装置では、例えば
スチール缶とペットボトルの重量が共に４０グラムほどのものについては、重量差が小さいために重量による判別が困難なものになっている。また、飲み残しのある容器などについても重量による判別も困難なものになっている。
また、シーソー状の重量バランス材が二連式になっているので、所定の缶やビン以外の異物が投入された場合などにおいては、詰りなどが生じ易くなるなどの問題のあるものになっている。
また、例えば減容のために潰したものなど変形したものの分別収納も困難なものになっている。
このように、この装置の重量による容器の判別においても、種々の問題のあるものになっている。
【００１１】
また、特許文献３の実開平７−４４０２１号公報においては、永久磁石を上部に配置せずに板面の下面に配置していることや、缶を長手方向に投入にせずに横方向に投入するものになっているので、缶の上部に備えた永久磁石による問題や、缶の長手方向の投入による問題、また、装置の大きさの問題など、前項［０００９］や［００１０］の問題などについて改良が成されているように見られるが、しかし、この装置の構造のもとでは、スチール缶とアルミ缶を各収納部に的確に落下させて的確な分別収納を行うことなどについては実施面において多分に問題のあるものになっている。
また、スチール缶とアルミ缶のみの分別収納であり、ペットボトルやビンの分別収納はできないなど、種々の問題のあるものになっている。
【発明の開示】
【発明が解決しようとする課題】
【００１２】
従来の空飲料容器の処理については、前項の［背景技術］の項に記述したとおり種々の問題のあるものになっている。
そのため、排出者が飲み終わった空容器を分別収納装置のない空容器収納箱に単に投げ入れ混合収納していることなどが主なる要因となって、年間数千億円に及ぶ膨大な処理費を要することなどの問題のあるものになっている。
これらの問題の根本的な要因は、分別収納の機能を備えていない従来の混合収納型の空容器収納箱で空容器の混合収納を行っていること、そして、これらの混合収納した空容器を各自治体や処理業者が後始末的に一括回収し、分別処理施設で大掛りな機械選別や手間のかかる手選別の作業により、多大な処理費を費やして一括集中型の分別処理を行っていることなどにある。
そこで、各排出者の投入による混合収納などが主なる要因となって生ずるこれらの問題に対して、各排出者の協力による分別収納を基にしてこれらの問題を解決のすることが必要になっている。
そして、各排出者の協力により得られる分別収納のメリットを各排出協力者に的確に還元することによって、各排出者が意識的に循環型社会の促進に協力する体制を整備することが必要になっている。
そのために、つぎのような手段により、従来の混合収納と一括集中による分別処理の問題を根本的に解決することが必要になっている。
その一として、小型で、手動式で、構造が簡単で、安価で、かつ、分別収納の機能を備えた空容器分別収納装置を自動販売機の周辺やその他の一般の排出源などに従来の混合収納型の空容器収納箱に替わって配備して、排出者が排出源で容易に分別収納を行うことができるようにする。
その二として、分別収納の機能を備えた空容器分別収納装置により、排出者が排出のつど、一個排出する度毎に一個ずつ確実にアルミ缶とスチール缶およびペットボトルとビンの各容器別に分別収納を行うことができるようにする。
その三として、分別収納した空容器を排出源で容器別に分別回収し、再資源化処理ラインや、焼却処理ラインなど、容器別の処理ラインに排出源から直接的に送り込んで処理することができるようにする。
その四として、これにより、分別処理センターで行っている従来の大掛りな機械選別や手間の掛かる手選別の処理作業を省力化して、年間数千億円に及ぶ膨大な処理費について、大幅な低減を図ることができるようにする。
そして、各自治体の逆有償などの問題を解消することができるようにする。
その五として、これらの処理体制の整備によって得られる割安で分別純度の高い良質の再資源化材を排出源から再資源化材の需要者に直接的に供給することにより、再資源化事業の生産性を向上する。
そして、これにより、再資源化事業の促進や、リサイクル産業の促進、延いては循環型社会の促進をさらに推進できるようにする。
【００１３】
つぎに、従来開発されている個別処理型の分別収納装置に対して、つぎのような装置上の具体的な問題点を解決することが必要になっている。
その一として、従来の装置においては、前項［０００９］のその一に記述したように、永久磁石を上部に配置しスチール缶を宙吊り状態で吸着して移動するために、スチール缶がアルミ缶の収納部に落下し易い状態になる問題のものがある。
これに対して、缶を吊り下げた状態で吸着するのではなく、缶を永久磁石の面上に載せる状態で安定的に的確に吸着することによって、スチール缶とアルミ缶の的確な分別収納を行うことができるようにする。
その二として、前項［０００９］のその二に記述したように、缶を長手方向に投入し缶の端面を押し付けて移動するために、缶のタブや凹凸部の引っかかりや、押し付けによる挟まりなどにより、スチール缶に挟まれたアルミ缶が落下しにくい状態となり、アルミ缶がスチール缶と共にスチール缶の収納部に落下し易い状態になる構造のものがある。
これに対して、缶を長手方向に投入するのではなく、缶を横にして胴体面から投入することにより、両端面凹凸部の引っかかりや挟まりなどをなくして、スチール缶とアルミ缶の的確な分別収納を行うことができるようにする。
その三として、前項［０００９］のその三に記述したように、アルミ缶とスチール缶およびペットボトルとビンを長手方向に投入しているために、本体の寸法が長手方向に大きくなり、自動販売機の周辺やその他の一般の場所などに容易に配備することは困難になるものがある。
これに対して、アルミ缶とスチール缶については、長手方向に投入するのではなく、横向きに投入する。そして、缶が横向きに３個ほど載るだけの小さな傾斜板上で、アルミ缶およびスチール缶の分別ができる構造のものにする。
また、ペットボトルとビンについても、長手方向に投入するのではなく、ペットボトルおよびビンを立てて一本ずつキャップ部から投入する。そして、ペットボトルとビンのテーパー部の形状判別と胴体部の直径判別により、ペットボトルが一本立てに載るだけの小さな傾斜板上で、ペットボトルおよびビンの分別ができる構造のものにする。
これにより、アルミ缶とスチール缶およびペットボトルとビンの分別収納装置本体の寸法を小さくして、自動販売機の周辺や従来の空容器収納箱の置き場所などに、従来の空容器収納箱に替わって容易に配備することができるようにする。
その四として、前項［０００９］のその三に記述したように、ビンの判別および分別収納の装置と、アルミ缶とスチール缶の判別および分別収納の装置を長手方向に一体化しているために、本体の寸法も長手方向に大きくなり、自動販売機の周辺や従来の空容器収納箱の置き場所などに従来の空容器収納箱に替わって容易に配備することは困難なものになっている。  
そして、この装置には備えられていないペットボトルの判別および分別収納の装置を加えて設置した場合には、装置がさらに大きくなり配備はさらに困難になるものになっている。
これに対して、分別収納装置を長手方向に一体化するのではなく、アルミ缶とスチール缶の分別収納装置およびペットボトルとビンの分別収納装置を分離した構造のものにする。
そして、自動販売機の周辺や従来の空容器収納箱の置き場所などの状況に合わせて、アルミ缶とスチール缶の分別収納装置およびペットボトルとビンの分別収納装置の設置位置や向きなどを決められるようにする。
また、自動販売機で販売している飲料の容器の種類に合わせて、アルミ缶とスチール缶の分別収納装置およびペットボトルとビンの分別収納装置を別々に設置できるようにする。
その五として、前項［０００９］のその四に記述したように、装置が筒状および箱型のケース体となっており、空容器が投入口から奥まで直線的に挿入されるようになっているために、所定の缶やビン以外の異物が投入された場合などに、奥の分別部で詰りなどが生じて、アルミ缶とスチール缶およびペットボトルとビンの判別および分別収納ができなくなる恐れのあるものがある。
これに対して、アルミ缶とスチール缶およびペットボトルとビンの分別収納装置を長手方向に一体化するのではなく、アルミ缶とスチール缶の分別収納装置およびペットボトルとビンの分別収納装置を分離した構造のものにする。
また、アルミ缶とスチール缶については、投入口の寸法を自動販売機で一般的に販売されている飲料の空き缶以外は入らない寸法にする。
また、投入部に角度をつけて、投入の際に缶がこの角度により投入物が分別部に入る前に投入部で一時滞留することにより、異物などが収納部に直に投入されないようにする。
また、ペットボトルとビンについては、ペットボトルおよびビンのテーパー部で弾力材の網目または羽根を拡張しないと投入できないようにすることにより、ペットボトルおよびビン以外の缶やその他の異物が混入されないようにする。
その六として、前項［０００９］のその五およびその六に記述したように、容器の判別は、重量判別による缶とビンの判別を行っているが、スチール缶とペットボトルのように重量が近似の容器や、また、飲み残しのある容器などについては、重量判別が困難であることなどの問題がある。
また、スチール缶とアルミ缶とビンの分別収納だけであり、ペットボトルの分別収納については困難なものになっている。そして、ペットボトルの分別収納装置を別途用意することが必要となっている。
これに対して、重量により判別を行うのではなく、形状と寸法により判別を行うことができるようにする。
そして、ビンおよびペットボトルの判別は、ビンおよびペットボトルのテーパー部の形状により判別を行うことができるようにする。
そして、重量判別では判別が困難であったペットボトルとスチール缶の判別や、飲み残しのある容器などについての判別を行うことができるようにする。
そして、スチール缶とアルミ缶とビンのほかに、ペットボトルを加えた四種類の容器についての分別収納処理を行うことによって、分別処理施設での分別処理を省力化することができるようにする。
【課題を解決するための手段】
【００１４】
本発明の空飲料容器分別収納装置における課題を解決するために、請求項１のアルミ缶とスチール缶の分別収納を行う手段として、アルミ缶とスチール缶の空飲料容器分別収納装置において、投入部に、空き缶を横にして胴体面から投入する空き缶投入口１と、空き缶の投入と分別に適した傾斜を備えた空き缶投入ガイド２を設け、分別部に、空き缶の分別に適した片下がり傾斜を備えた空き缶分別傾斜板３と、その上面にスチール缶を吸着できる永久磁石４を設け、その下の収納部に、空き缶分別仕切り５で仕切ったアルミ缶とスチール缶の分別収納部を設けて、アルミ缶とスチール缶の分別収納を行うものである。
【００１５】
また、請求項２のアルミ缶とスチール缶の空飲料容器分別収納装置において、投入部に、空き缶を立てて胴体面から投入する空き缶投入口２１と、空き缶の投入と分別に適した傾斜を備えた空き缶投入ガイド２２を設け、分別部に、空き缶の分別に適した傾倒傾斜を備えた空き缶分別傾斜板２３と、その正面側にスチール缶を吸着できる永久磁石２４と、スチール缶を永久磁石に吸着させるための空き缶押し付け材２５と、空き缶を載せる空き缶載せ板２６を設け、その下の収納部に、空き缶分別仕切り２７で仕切ったアルミ缶とスチール缶の分別収納部を設けて、アルミ缶とスチール缶の分別収納を行うものである。
【００１６】
また、請求項３のペットボトルとビンの分別収納を行う手段として、ペットボトルとビンの空飲料容器分別収納装置において、投入部に、ペットボトルおよびビンを立ててキャップ部から投入するペットボトルとビンの投入口３１と、ペットボトルおよびビンのテーパー部により直径方向に拡張収縮して開口する弾力紐３２を網目状に配して設け、その直下の分別部に、ペットボトルとビンの分別に適した傾斜を備えたペットボトルおよびビンの分別傾斜板３３と、その中央部にペットボトルとビンを分別する分別孔３４を設け、その下の収納部に、ペットボトルおよびビンの分別仕切り３５で仕切ったペットボトルの収納部とビンの収納部を設けて、ペットボトルとビンの分別収納を行うものである。
【００１７】
また、請求項４のペットボトルとビンの分別収納を行う手段として、ペットボトルとビンの空飲料容器分別収納装置において、投入部に、ペットボトルおよびビンを立ててキャップ部から投入するペットボトルとビンの投入口３１と、その口縁部にペットボトルおよびビンのテーパー部により直径方向に放射状に拡張収縮して開口する弾力羽根４２を放射状に配して設け、その直下の分別部に、ペットボトルとビンの分別に適した傾斜を備えたペットボトルおよびビンの分別傾斜板３３と、その中央部にペットボトルとビンを分別する分別孔３４を設け、その下の収納部に、ペットボトルおよびビンの分別仕切り３５で仕切ったペットボトルの収納部とビンの収納部を設けて、ペットボトルとビンの分別収納を行うものである。
【００１８】
また、請求項５のアルミ缶とスチール缶の分別収納およびペットボトルとビンの分別収納を共に行う手段として、請求項１または請求項２記載のアルミ缶とスチール缶の空飲料容器分別収納装置と、請求項３または請求項４記載のペットボトルとビンの空飲料容器分別収納装置とを一体化的に組合せて、アルミ缶とスチール缶の分別収納およびペットボトルとビンの分別収納を共に行うものである。
【発明の効果】
【００１９】
本発明は、以上に説明したような手段で実施され、つぎのような効果を奏する。
【００２０】
その一として、本発明の空飲料容器分別収納装置は、構造が簡単で安価であり、小型で手動式のものであるので、自動販売機の周辺や従来の空容器収納箱の置き場所などに、従来の空容器収納箱に替わって容易に配備することができる。
その二として、排出源で排出者がアルミ缶とスチール缶およびペットボトルとビンの空容器を投入口に投入するだけで、一個投入するごとにアルミ缶とスチール缶およびペットボトルとビンの各容器別に的確に分別し収納することができる。
その三として、分別収納により容器別に回収した容器を、再資源化処理および焼却処理および廃棄処分などの各専用処理ラインに、排出源から直接的に搬入してこれらの処理を行うことができる。
その四として、これらにより、従来の手段では、例えば再資源化を行うために高い分別純度を要するアルミ缶と、再資源化を行わずに焼却処理や廃棄処理などを行うアルミ缶以外の容器などをともに混合収納しているために、自治体や処理業者の処理センターで必要以上に行っている大掛りな機械選別作業と危険で手間のかかる手選別作業などを大幅に省力化することができる。
その五として、これらにより、自治体においては、年間数千億円に及ぶ膨大な処理費を大幅に低減することができる。そして、逆有償による資源ゴミの処理などの問題要因を解消することができる。
その六として、再資源化事業所などにおいても、年間数千億円に及ぶ膨大な処
理費の大幅低減により割安となる良質の再資源化材を排出源から直接的に供給が得られることにより生産性を大幅に向上することができる。
その七として、一般社会においても、再資源化事業の活性化、再生品の需要拡大によるリサイクル産業の活性化、延いては循環型社会の活性化などを促進することができる。
その八として、分別収納の協力者である排出者においても、分別収納のメリットとして得られる年間数千億円に及ぶ膨大な処理費の大幅低減により、公費の負担額が軽減されるなどのメリットを間接的に得ることができる。また、循環型社会の促進による環境保全の促進など種々の形で一般消費者に還元される分別収納のメリットを間接的に得ることができる。
【００２１】
つぎに、従来の資源ゴミの分別回収においては、例えば町内の自治会などで、自治体の奨励と町内住民の協力により、再資源化効率の最も高いアルミ缶の分別回収を行い、良質で割安の分別済みアルミ缶スクラップ材を需要者に直接的に供給することにより、その見返りとして得られる売却金や奨励金などの収益金を自治会活動費の一部に当てることなどの活動を行っている。
しかし、このような局部的な分別回収の活動などだけでは、各自治体や処理業者などが分別処理施設で行っている分別処理作業を大幅に省力化して、これらの分別処理施設で費やしている多大な処理費を大幅に低減すること、そして、これらにより、逆有償の問題や、再資源化事業所の生産性の問題などを解消することは困難なものになっている。
そこで、自治会などの住民協力による局部的な分別回収の活動などだけではなく、例えば種々の地域の団体や事業者などが、一般消費者などの排出者の協力による分別回収の活動をさらに発展的に拡大して、自動販売機の周辺やその他の各排出源に、従来の空容器収納箱に替わって本発明の空容器分別収納装置を配備し、一般消費者の協力のもとに、排出源で排出時に分別収納を行っていく事業活動を広く推進して行くことにより、自治体や処理業者が多大な処理費を費やして行っている分別処理を大幅に省力化して、これらに費やしている多大な処理費を大幅に低減することができる。
そして、これらの手段により、団体や事業者側においては、その第一のメリットとして、これらによって得られる多大な処理費の低減分をこれらの事業活動の収益として的確に得ることができる。
また、第二のメリットとして、アルミ缶のスクラップおよびペットボトルとビンの再資源化材についても、従来は自治体や処理業者が多大な回収費および分別処理費を費やして得ている売却益をこれらの作業を要することなく、分別収納されたアルミ缶のスクラップおよびペットボトルとビンの再資源化材の売却益を容易に得ることができる。
そして、これらの売却益を分別収納の多大なメリットとして、多大な処理費の低減と共に事業収益として的確に得ることができる。
【００２２】
そして、第一のメリットの多大な処理費の低減については、具体的にはつぎのような条件のもとにおいて、分別収納のメリットによる事業収益として得ることができる。
その一として、空飲料容器の処理費については東京都清掃局の資料によると350ｍｌの空き缶については１個当り１３円ほどの処理費が掛かり、また、1.5リットルのペットボトルについては１本当り５５円ほどの処理費が掛かるものになっている。
これらの処理費について、空き缶の処理費については１３円とし、また、ペットボトルの処理費についても、自動販売機で一般的に販売されているペットボトルは300ｍｌから500ｍｌの小型サイズのものがほとんどなので、これらのサイズの容量比を1.5リットルサイズの約四分の一として、１個当りの処理費を５５円の約四分の一の１３円ほどとする。
その二として、年間の空容器の回収推計量を空容器リサイクル関連団体の資料などをもとに、アルミ缶とスチール缶については、ともに約１５０億個とし、また、ペットボトルとビンについては、合わせて約１００億本として、年間合計約４００億個の空容器について分別収納を行うものとする。
その三として、これらの年間合計４００億個の空容器について、一般消費者である排出者に分別収納を行ってもらうことにより、従来の分別処理施設で各自治体や処理業者が分別処理を行うために費やしている多大な処理費を大幅に低減して、それらの処理費を例えば従来の処理費の半分以下に低減するものとする。
そしてこれにより、１個当りの処理費を１３円から半分以下に低減して、１個当り７円の割で低減額を推計するものとする。
その四として、これらの条件のもとにおいて、団体や事業者側においては、従来は分別処理施設で分別処理を行うために費やしている多大な処理費を費やすることなく、年間で約２８００億円に及ぶ膨大な処理費の低減額を分別収納のメリットによる事業収益として得ることができる。
【００２３】
また、第二のメリットであるアルミ缶のスクラップ材およびペットボトルとビンの再資源化材の売却益についても、具体的には、つぎのような条件のもとにおいて、分別収納のメリットによる事業収益として得ることができる。
その一として、アルミ缶のスクラップ材の年間回収量を約１５０億個とし、ペットボトルとビンの再資源化材の年間回収量を合わせて約１００億本とする。
その二として、アルミ缶のスクラップについては、トン当り単価１１万円およびトン当り５.５万個とするもとで、売価を１個当り２円とする。
その三として、ペットボトルについては、スーパーなどの大型店にペットボトルの回収機を配備して１本当り１円の割で調達している事業所などのケースもあるので売価を１本当り１円とする。
その四として、ビンについては、トン当り単価５千円およびトン当り五千本とするもとで、売価を１本当り１円（ビール瓶および一升瓶は１本５円で引き取られている）とする。
その五として、アルミ缶のスクラップ材の年間回収量を１５０億個とし、売価を１個当り２円とするもとで、年間約３００億円に及ぶ売却益を分別収納のメリットとして得ることができる。
その六として、ペットボトルとビンの再資源化材の年間回収量を合わせて１００億本とし、売価を１本当り１円（ビール瓶および一升瓶は１本５円で引き取られている）とするもとで、ペットボトルとビンと合わせて年間約１００億円に及ぶ売却益を分別収納のメリットとして得ることができる。
その七として、アルミ缶のスクラップについての売却益年間約３００億円と、ペットボトルとビンを合わせた売却益年間約１００億円の合計額年間約４００億円を分別収納のメリットによる事業収益とすることができる。
【００２４】
そしてこれにより、団体や事業者側においては、年間約２８００億円に及ぶ分別処理費の低減額と、年間約４００億円に及ぶアルミ缶のスクラップ材およびペットボトルとビンの再資源化材売却益の合計額３２００億円を分別収納のメリットによる事業収益として得ることができる。
そして、各自治体においても、これらの団体および事業者の分別収納による事業活動により、資源ゴミの処理費が大幅に低減することによって、ゴミ処理の問題要因を軽減するメリットを得ることができる。
そして、再資源化の事業者においても、これらの事業活動による分別収納のメリットにより派生する良質で割安の再資源化材を容易に得られることにより、生産性を大幅に向上するメリットを得ることができる。
そして、分別収納の協力者である消費者においても、自治体や再資源化の関連事業者が一般消費者の協力により得られる分別収納のメリットを例えば公共費負担額の軽減など、また、延いては循環型社会の促進による環境保全の促進など種々の形で一般消費者に還元することにより、分別収納のメリットを間接的に得ることができる。
そして、ここに挙げた分別収納のメリットは、従来の空容器の回収量について全面的に分別収納を行ったものについての総額のメリットであるが、本装置は小型で安価であり、必要な場所に従来の空容器収納箱に替わって容易に配備できるものであること、また、消費者である排出者が一個排出するごとに的確に各容器別に分別し収納できること、また、これらの容器を容器別に各排出源から容易に回収し、各処理ラインに直接的に運び込んで処理できること、などの特質をもつものであるので、従来のような大掛りな分別処理施設や人員体制の整備を要することなく、各団体や事業者の事業規模と事業範囲などにそって本装置を配備し、これらの事業を進めることにより、各団体や事業者の事業規模と事業範囲などにそった分別収納のメリットとこれによる事業収益を容易に得ることができる。
【００２５】
つぎに、背景技術の［０００５］の項に記述したように、例えばＪＲの各駅のホームなどでは、アルミ缶とスチール缶とビンとペットボトルなど四種類の空容器の混合収納を行っているが、これらの混合収納物を分別処理施設で分別処理するために多大な分別処理費を要するものになっている。
そこで、これらの混合収納の空容器収納箱に替わって本発明の空飲料容器分別収納装置を配備することにより、分別処理施設で行っている分別処理作業を大幅に省力化して、これらの分別処理作業に費やしている分別処理費を大幅に低減することができる。
また、コンビニや大型店の店頭などにおいても、アルミ缶とスチール缶とビンの三種類の空容器を一つの収納箱に纏めて混合収納し、ペットボトルについては別個に収納しているケースが多いものになっているが、本発明の空飲料容器分別収納装置を配備することにより、これらの空容器についての分別処理作業を大幅に省力化して、これらの分別処理作業に費やしている分別処理費を大幅に低減することができる。
また、同じく街中の自動販売機周辺などにおいても、四種類の空容器を混合収納しているケースが多いものになっているが、本発明の空飲料容器分別収納装置を配備することにより、これらの混合収納物の分別処理に費やしている分別処理費を大幅に低減することができる。
また、一般の事業所や公共の施設などの自動販売機周辺などにおいても、四種類の空容器を混合収納しているケースが多いものになっているが、本発明の空飲料容器分別収納装置を配備することにより、これらの混合収納物の分別処理に費やしている分別処理費を大幅に低減することができる。
そしてまた、これらの分別収納された資源ゴミを良質の再資源化材として、再資源化材の需要者に直接的に供給することなどによって、［００２３］の項に準じたような分別収納のメリットを得ることができる。
【００２６】
また、各家庭などにおいては、［０００６］の項に記述したように、収納用の箱や袋を適宜用意して四種類の空容器を混合収納しているケースが多いものになっているが、このように空容器収納用の容器がきちんと整備されていないために適当な容器に何でも投げ入れられてしまうことが、種々の容器が混合収納され排出される根本要因になっている。
そこで、本発明の空飲料容器分別収納装置においては、これらの問題について、［００３３］および［００４２］の項に記述したように、上部の投入口とは別個に、上部の投入口には投入できない醤油やミネラルウォーターなどの大きめのペットボトルやビールビンおよび食料品入りの缶など、種々のサイズや形状のものを収納できる専用の投入口を収納部の扉に設けた各家庭専用の空容器分別収納装置を各家庭などに配備することによって、これらの問題に対応し解消することができる。
そしてこれによって、各家庭などにおいて、全般的に同一手段で同一レベルの分別収納を行うことにより、各家庭における分別収納を促進し、自治体の抱える多大なゴミの分別処理問題の根本要因を大幅に解消することができる。
そして、これらの各家庭などの排出源における分別収納の個別活動と、［００２１］の項に記述した地域の団体や事業者などにおける分別収納の事業活動とを連携していくことによって、［００２４］の項に記述したような分別収納における種々のメリットをさらに大きく拡大して得ることができる。
【００２７】
つぎに、本発明の空飲料容器分別収納装置においては、背景技術の［０００９］の項に記述した特許文献１の特開平１０−３４３９２号公報についての問題点に対して、つぎのような特徴と効果があげられる。
その一として、請求項１の手段のもとで、図３および図７に示すように、永久磁石を四条ほど配した分別傾斜板の板上にスチール缶およびアルミ缶を投入し、スチール缶については胴体面を板上に載せた状態で安定的にかつ的確に吸着できる。
また、缶を横向きに投入して、缶の胴体面で吸着することにより、缶端面凹凸部の引っかかりなどが無い状態で、横並びに並んだスチール缶およびアルミ缶が、後から投入されてくる缶に押されて永久磁石の面上を転がりながら移動できる。
そして、スチール缶については、胴体面が４条ほどの永久磁石に的確に吸着された状態で分別傾斜板の板上を転がりながら移動することによって、スチール缶の収納部に的確に収納できる。
また、アルミ缶についても、アルミ缶の滑落に適した傾斜をもつ分別傾斜板の
傾斜面上で、缶端面凹凸部の引っかかりなどが無い状態でアルミ缶の収納部に滑落し、的確に収納できる。
これにより、［０００９］項のその一およびその二に記述した問題点を解消することができる。
また、その二として、請求項２の手段のもとで、図４におよび図８に示すように、缶を立てて胴体面から投入し空き缶載せ板の板上に缶を載せ、空き缶押し付け材により缶の胴体面を傾倒傾斜の分別傾斜板および永久磁石の面に押し付けることにより、スチール缶については、胴体面を板面で安定的に、かつ、的確に吸着することができる。
そして、空き缶載せ板の板上に載った状態で、かつ、永久磁石の面に的確に吸着した状態で、後から来る缶に押し出され、スチール缶の収納部に落下して収納することができる。
そしてアルミ缶についても、空き缶載せ板の板上に載った状態から傾倒傾斜の傾きにより落下してアルミ缶の収納部に収納することができる。
これにより、［０００９］項のその一およびその二に記述した問題点を解消することができる。
また、その三として、アルミ缶とスチール缶については、請求項１および請求項２の手段のもとで、長手方向に投入するのではなく、横向きに胴体面から投入することによって、缶が横向きに胴体を合わせた状態で３個ほど載るだけの小さな分別傾斜板上で、アルミ缶およびスチール缶の分別ができる。
また、ペットボトルとビンについても、請求項３および請求項４の手段のもとで、長手方向に投入するのではなく、ペットボトルおよびビンを立てて１本ずつキャップ部から投入することによって、ペットボトルが一本立てに載るだけの小さな分別傾斜板上で、ペットボトルおよびビンの分別ができる。
これにより、［０００９］項のその三およびその四に記述した問題点を解消することができる。
また、その四として、本発明の空飲料容器分別収納装置においては、請求項３および４の手段のもとで、図５、図６および図９から図１６のように、投入容器の判別を重量の判別により行うのではなく、ペットボトルおよびビンのテーパー部による弾力紐、または、弾力羽根の拡張の可否により、缶とビンとペットボトルの判別を行うことができる。
そして、投入されたペットボトルとビンの分別は、開口部の直下に設けた分別孔により、ペットボトルとビンの直径判別による判別を行うことができる。
これにより、飲み残し缶やスチール缶とペットボトルの判別など重量判別では困難となっているものに対しても、テーパー部の形状判別においては容易に判別することができる。
また、ペットボトルとビン以外の缶や紙コップなどの異物については、ペットボトルとビンのようなテーパー部がないので、図１４（ｄ）、図１５（ｄ）、図１６（ｄ）のように、弾力紐、または、弾力羽根を拡張することができないことにより投入を阻止することができる。
これにより、［０００９］項の、その四およびその五およびその六に記述した問題点を解消することができる。
【００２８】
つぎに、本発明の空飲料容器分別収納装置においては、背景技術の［００１０］の項に記述した特許文献２の実開平５−４９７０２号公報についての問題点に対して、つぎのような特徴と効果があげられる。
その一として、本発明の空飲料容器分別収納装置においては、図１から図６に示すように、缶とビンとペットボトルの分別収納装置を一体化するのではなく、アルミ缶とスチール缶の分別収納と、ペットボトルとビンの分別収納装置の二つに分割した構造にしている。
これにより、アルミ缶、スチール缶、ペットボトル、ビンの各容器の判別装置および分別収納装置が長手方向に長く繋がって、装置が大きくなることのないようにしている。
また、アルミ缶とスチール缶の判別については、図３と図４および図７と図８のように、缶が横並びに３個ほど載るだけの小さな分別傾斜板に永久磁石を４条ほど線状に備えただけの簡単な判別装置により、容易に、かつ、的確に判別ができる。
また、ペットボトルとビンの判別については、図５図６および図９図１０のように、投入口に備えた弾力紐または弾力羽根と、その直下に分別傾斜板を備えただけの簡単な判別装置に、ペットボトルおよびビンを立てて投入するだけで、容易に、かつ、的確に判別ができる。
これにより、小型で構造が簡単で価格も安価であるアルミ缶とスチール缶の分別収納装置およびペットボトルとビンの分別収納装置を自動販売機の周辺や従来の空容器収納箱の置き場所などに、従来の空容器収納箱に替わって容易に配備して、排出者が手軽に分別収納を行うことができる。
そして、これにより［００１０］項のその一に記述した一体化による問題点などを解消することができる。
その二として、本発明の空飲料容器分別収納装置においては、アルミ缶とスチール缶については、請求項１および２の手段のもとで、図３と図４および図７と図８に示すように、多重式の箱型筒状のケース体などは設けず、空き缶分別傾斜板により缶を３個ほど横にして載せた傾斜板上で容易に分別できる。
これにより、箱型筒状のケース内に異物が投入された場合に、詰りなどが生じてスチール缶やアルミ缶の分別収納が困難になる問題を解消することができる。
また、空き缶投入ガイドと分別傾斜板の間に屈曲部を設けて、次の投入物が投入されるまで投入物がこの屈曲部で一時滞留することにより、投入物が投入口から分別傾斜板上に直線的に挿入されることのないようにしている。
これにより、例えば異物が投入された場合などでも、投入口付近の屈曲部で異物が一時滞留することにより、異物が直線的に奥まで落下して進入することがなく、投入口付近の屈曲部で異物を容易に取り除くことができる。
そしてこれにより、箱型筒状のケース内に詰りなどが生じ易くなる問題などを解消することができる。
そして、これにより［００１０］項のその二に記述した問題点を解消することができる。
また、その三として、この特許文献２の実開平５−４９７０２号の装置においても、前項の特許文献１における特開平１０−３４３９２号公報の選別機と同じようにスチール缶とアルミ缶とビンの分別収納だけであり、ペットボトルの分別収納はできないものになっている。
これに対して、本発明の空飲料容器分別収納装置においては、前項［００２７］項のその四に記述したように、請求項３および４の手段のもとで、図５図６および図９図１０のように、投入口に備えた弾力紐または弾力羽根と、その直下に分別傾斜板を備えただけの簡単な判別装置に、ペットボトルおよびビンを立てて投入するだけで、容易に、かつ、的確に判別ができる。
そして、これにより［００１０］項のその三に記述したシーソー状の重量バランス材による容器判別の問題点などを解消することができる。
【発明を実施するための最良の形態】
【００２９】
請求項１のアルミ缶とスチール缶の空飲料容器分別収納装置における最良の形態および実施例については、つぎのとおりである。
【００３０】
投入部の空き缶投入口１については、図３および図７に示すように空き缶投入ガイド２の上面部に四角形の開口部を設けたもので、開口部の幅と長さの寸法を自動販売機などで一般的に販売されている缶を横にして胴体面から一個ずつ投入する寸法としている。
【００３１】
また、空き缶投入ガイド２については、図３および図７に示すように開口部をもつ上面板と両側面板と片端面板と底面板で構成する箱型状のもので、底面板の投入方向の傾斜角を４０度ほどとし、且つ、投入方向に対し直角方向の傾斜角を２０度ほどとした二重傾斜にしている。
そして、投入方向に対して直角方向に２０度ほどの傾斜角度を空き缶投入ガイド２の底面板および側面板につけることによって、缶を分別部の空き缶分別傾斜板３の２０度ほどの傾斜面および永久磁石４の面上に具合良く投入できるようにしている。
そして、投入口から缶を空き缶投入ガイド２に手で落し込むだけで投入口から分別部に缶を具合良く送り込むことができるようにしている。
そして、空き缶が投入されると、空き缶投入口１から空き缶分別傾斜板３に入る際に、空き缶分別傾斜板３の手前でスチール缶が永久磁石４の吸着により投入部の奥部で一時滞留するようにしている。
そして、つぎにアルミ缶やスチール缶を投入すると一時滞留していた缶が一個ずつ具合良く押し出されて空き缶分別傾斜板３に移るようにしている。
そして、空き缶分別傾斜板３の傾斜と板上の永久磁石４の吸着可否により一個ずつ具合良くアルミ缶とスチール缶に分別できるようにしている。
そして、例えば異物などが投入された場合でも、異物が空き缶投入口１から空き缶分別傾斜板３に直接入ることなく投入部で一時滞留するので、この一時滞留部で異物などを取り除くことにより異物混入のない缶のみの収納が容易にできるようにしている。
そして、この投入方向の傾斜が大きくなり過ぎると、空き缶投入ガイド２の上面板と片端面板と底面板に支えて缶の投入がし難くなるので、４０度ほどの傾斜にして一個ずつ具合良く投入できる角度にしている。
一方、角度が小さくなり過ぎると、従来型の収納箱のように投入口から収納部に直に投げこまれるような形になり、缶以外のペットボトルやゴミなどの混合投入がされ易くなる。
また、ペットボトルなどのように缶より大きいものを投入しようとしても投入部で支えて投入できないようにしている。
【００３２】
つぎに、分別部の空き缶分別傾斜板３および永久磁石４については、図３および図７に示すように、空き缶投入口１から１個ずつ投入した空き缶が空き缶分別傾斜板３に備えた永久磁石４の面上に缶の胴体部同士が接触し合った状態で３個ほど載る寸法のものにしている。
また、空き缶分別傾斜板３の板面に永久磁石４を４条ほど配して、ビヤ樽型のスチール缶などのように永久磁石４の接触面が少ない缶でも容易に吸着して分別できるようにしている。  
また、永久磁石４は、板状の永久磁石に鉄板を添わせて吸着力を強めたものを空き缶分別傾斜板３の表面に埋め込んで、スチール缶を的確に吸着できるようにしている。
そしてスチール缶は、永久磁石４の面上で吸着して胴体面が順次押し出される状態で片下がり傾斜の面上を進行方向に横移動し、順次押し出されて空き缶分別仕切り５で仕切ったスチール缶の収納部３０２に落下するようにしている。
一方、永久磁石４の面上に吸着されないアルミ缶は、２０度ほどの片下がり傾斜の面上を傾斜方向に直に滑落し、空き缶分別仕切り５で仕切ったアルミ缶の収納部３０１に落下することにより、アルミ缶とスチール缶を分別収納するようにしている。
また、空き缶分別傾斜板３に缶の投入方向に対して直角方向に２０度ほどの片下がり傾斜をつけることによって、その傾斜と重力による滑落と、磁力による吸着力の双方の兼合い面で具合良く分別ができるようにしている。
この傾斜が大きくなり過ぎるとスチール缶も滑落するようになり、一方、小さくなり過ぎるとアルミ缶の滑落がし難くなるので、吸着力と滑落の兼ね合いにより具合の良い傾斜角度を設定している。
また、アルミ缶を投入した際に永久磁石４に吸着しないアルミ缶が空き缶分別傾斜板３から投入方向に転がり落ちないように、空き缶分別傾斜板３の投入方向に２度ほどの上り勾配の傾斜角度をつけている。
また、空き缶投入口１に空き缶を横にして胴体面から投入することによって、スチール缶においては、永久磁石４の面上に３個ほどの缶が片下がり傾斜の状態で横並びに具合良く吸着され、各缶の直径寸法１個分の僅かな押し出しで順次具合良く押し出されて吸着面を横移動し、スチール缶の収納部に落下するようにしている。
また、アルミ缶においても、空き缶を横にして胴体面から投入することによって、各缶の直径寸法１個分の僅かな押し出しで順次具合良く押し出されて吸着面を横移動するようにしている。そして、飲み口面や底面の凹凸による缶同士の噛合いや引っ掛かりなどが無い状態で、片下がり傾斜により具合良く滑落してアルミ缶の収納部に落下するようにしている。
【００３３】
つぎに、アルミ缶とスチール缶の空飲料容器分別収納装置においては、一般に自動販売機などで販売されている清涼飲料の空容器であるアルミ缶とスチール缶を分別収納するものになっている。そして、それ以外は空き缶投入口から投入できないようにしている。
しかし、各家庭から排出される空容器類は、清涼飲料の空容器のほかに、缶詰などや食材入りの空き缶なども多く排出されるので、各家庭においても本装置を活用できるようにするための対応手段として、家庭用の空飲料容器分別収納装置については、上部に設けてある清涼飲料の空容器投入口とは別に、アルミ缶とスチール缶の収納部の扉に、これらの缶の専用投入口を別個に設けて投入するか、または、アルミ缶とスチール缶の収納部の扉を開けて、これらの空容器をアルミ缶とスチール缶の収納部に直接投入する方法で分別収納ができるようにしている。
【００３４】
つぎに、請求項２のアルミ缶とスチール缶の空飲料容器分別収納装置における最良の形態および実施例については、つぎのとおりである。
【００３５】
投入部の空き缶投入口２１については、図４および図８に示すように空き缶投入ガイド２２の両側面板と底面板と上面板の四面体で構成する投入口とし、投入口の幅と高さの寸法を自動販売機などで一般的に販売されている缶を立てて胴体面から手で一個ずつ投入する寸法としている。
【００３６】
空き缶投入ガイド２２については、図４および図８に示すように、空き缶分別傾斜板２３に対して投入方向に４０度ほどの折れ角をもち、且つ投入方向に対して直角方向に２０度ほどの傾倒傾斜をもつ両側面板と底面板と上面板の四面体で構成している。
そして、投入口から缶を空き缶投入ガイド２２に手で一個ずつ投入するだけで投入口から分別部に缶を具合良く送り込むことができるようにしている。
そして、空き缶が投入されると、空き缶投入口２１から空き缶分別傾斜板２３に移る際に、空き缶分別傾斜板２３の手前でスチール缶が永久磁石２４の吸着により投入部の奥部で一時滞留するようにしている。
そして、つぎの缶を投入すると一時滞留していた缶が一個ずつ具合良く空き缶分別傾斜板２３に移り、空き缶分別傾斜板２３の傾斜と板面の永久磁石により一個ずつ具合良くアルミ缶とスチール缶に分別できるようにしている。
そして、例えば異物などが投入された場合でも、異物が空き缶投入口２１から空き缶分別傾斜板２３に直接入ることなく投入部で一時滞留するので、この一時滞留部で異物などを取り除くことにより異物混入のない缶のみの収納が容易にできるようにしている。
この曲がり度が大きくなり過ぎると折れ角をもつ両側面板に支えて缶の投入がし難くなり、一方小さくなり過ぎると従来型の収納箱のように投入口から収納部に直に投入されるような形になり、缶以外のペットボトルやゴミなどの混合投入がされ易くなる。
また、この折れ角により、空き缶投入口２１より大きく丈長のペットボトルや缶やゴミなどを投入口に差し込んで投入しようとしても、空き缶投入ガイド２２から空き缶分別傾斜板２３に入る際に、投入部で支えて投入できないようにしている。
また、空き缶投入ガイド２２の底面板に延長して、空き缶分別傾斜板２３の下縁に沿って空き缶を載せる空き缶載せ板２６を配し、この空き缶載せ板２６に缶を載せて永久磁石２４の表面に送り込むことによって、スチール缶が永久磁石２４の表面から傾倒して落ちるようなことが無く、かつ、スチール缶が永久磁石２４の表面に安定的に、かつ、的確に吸着できるようにしている。
【００３７】
つぎに、空き缶押し付け材２５については、空き缶の太い缶と細い缶の直径差が十数ミリほどあるために、永久磁石２４の接触面の間隔と吸着力の関係で径の太いスチール缶については永久磁石２４に的確に吸着するが、細い径のスチール缶を投入した場合には接触面の間隔が大きくなり吸着できない状態になる。
そのため、図８に示すように、細い缶でも的確に吸着できるようにするために、空き缶投入ガイド２２の端部に直径差十数ミリほどの接触面の空き間隔を押し付けるための空き缶押し付け材２５を設けている。
そして、細い缶を投入した場合には、空き缶押し付け材２５が押し付け弾力材２８により引き寄せられて、細い缶の胴体部を永久磁石２４の接触面に押し付けることによって、細い缶の外周面が永久磁石２４の面上に的確に密着して吸着できるようにしている。
一方、太い径の缶を投入した場合は、空き缶押し付け材２５が押し付け弾力材２８により太い缶の径に合わせて開閉して、太い缶の胴体部を永久磁石２４の接触面に押し付けることによって、太い缶の外周面が永久磁石２４の面上に的確に吸着できるようにしている。
なお、押し付け弾力材２８を用いずに空き缶押し付け材２５自体に弾力をもたせて押し付けするようにしても良い。
これによって、スチール缶については、種々の直径の缶を空き缶分別傾斜板２３に備えた永久磁石２４の面上に的確に吸着できるようにしている。
【００３８】
つぎに、分別部の空き缶分別傾斜板２３および永久磁石２４については、図４および図８に示すように、空き缶投入口２１から一個ずつ投入した空き缶が、空き缶分別傾斜板２３の正面側に備えた永久磁石２４の面に缶の胴体部同士が接触し合った状態で３個ほど立った状態で並ぶ寸法のものにしている。
また、空き缶分別傾斜板２３の正面側に、永久磁石２４を４条ほど配してビヤ樽型のスチール缶などでも容易に吸着して分別できるようにしている。  
また、永久磁石２４は、板状の永久磁石に鉄板を添わせたものを空き缶分別傾斜板２３の正面側に埋め込んだものとしている。
そして、スチール缶は永久磁石２４に吸着して順次一個ずつ押し出される状態で空き缶載せ板２６の板面上を横移動し、空き缶分別仕切り２７で仕切ったスチール缶の収納部３０２に一個ずつ落下して分別収納されるようにしている。
一方、アルミ缶については、空き缶分別傾斜板２３の正面側に設けた永久磁石２４に吸着されないので、空き缶分別傾斜板２３の傾倒傾斜により直ちに手前側に傾倒して、その下の空き缶分別仕切り２７で仕切ったアルミ缶の収納部３０１に落下し分別収納されるようにしている。
また、空き缶分別傾斜板２３に缶の投入方向に対して直角方向に２０度ほどの傾倒傾斜をつけることによって、傾倒傾斜と重力による缶の落下と磁力による缶の吸着力の双方面で具合良く分別ができるようにしている。
そして、この傾斜が大きくなり過ぎると重力と吸着力の関係でスチール缶もアルミ缶の収納部に落下するようになり、一方、小さくなり過ぎると空き缶載せ板２６に載ったアルミ缶が傾倒傾斜による傾倒落下がし難くなり、スチール缶と共に押し出されてスチール缶の収納部に落下するようになる。
また、空き缶投入口２１に空き缶を立てて胴体面から投入することによって、スチール缶においては、永久磁石２４の正面上に３個ほどの缶が胴体を合わせて空き缶載せ板２６の板面上に立った状態で並び的確に吸着される。
そして、各缶の直径寸法一個分の僅かな押し出しで順次具合良く押し出されて、永久磁石２４の正面上に吸着された状態で空き缶載せ板２６の板面上を移動し、スチール缶の収納部に具合良く落下するようにしている。
このように、スチール缶においては、空き缶載せ板２６の板面上にスチール缶を載せた状態で板上を移動することにより、安定的に、かつ的確に分別収納ができるようにしている。
また、アルミ缶においても、空き缶を立てて胴体面から投入することによって、空き缶分別傾斜板２３の面上における缶同士の接触による引っ掛かりや、飲み口面や底面の凹凸による噛合いや引っ掛かりなどが無く、各缶の直径寸法一個分の僅かな押し出しで順次具合良く押し出され、空き缶分別傾斜板２３の傾倒傾斜により永久磁石２４の面上および空き缶載せ板２６の板面上からアルミ缶の収納部に具合良く傾倒落下するようにしている。
【００３９】
つぎに、請求項３のペットボトルとビンの空飲料容器分別収納装置における最良の形態および実施例についてはつぎのとおりである。
【００４０】
ペットボトルおよびビンの投入部については、図５および図９に示すように、自動販売機などで一般的に販売されているペットボトルの空容器が容易に入る孔径をもつペットボトルおよびビンの投入口３１に、ペットボトルおよびビンのテーパー部により直径方向に拡張収縮して開口する弾力紐３２を網目状に配して設けている。
また、弾力紐３２は、図９および図１４に示すように、直径が５ミリほどの丸型のもので、布被覆のゴム紐類などの弾力紐類などがペットボトルの潜り抜けの具合と網目の拡張具合の両面で具合が良い。また金属や樹脂材のコイルバネ状の
物でも良い。
また、弾力紐３２の網目の大きさは、図９および図１４に示すように、ペットボトルのキャップの直径とほぼ同寸法の３０ミリほどのものが良い。
また、ペットボトルのキャップの直径は飲料メーカーや容量の大小に係わらず殆ど統一されているので、本装置の網目の大きさもこれに準じて統一するものとしている。
また、弾力紐３２は、図１４の（ａ）（ｂ）（ｃ）および図１６の（ａ）（ｂ）（ｃ）に示すように、手で一本ずつペットボトルおよびビンのキャップ部を網目に差し込むと、尖った棒で孔を拡張するのと同じような拡張作用でペットボトルおよびビンのテーパー部が網目を拡張して、投入口３１に網目状に配した弾力紐３２を潜り抜け、図５および図１２に示すように、分別傾斜板３３に落し込まれる。
一方、空き缶などを投入した場合は、図１４の（ｄ）および図１６の（ｄ）に示すように、ペットボトルのようなテーパー部が無く網目の全面を押し下げるようになるので、その反発力で押し返され、網目の潜り抜けができないために投入ができないようにしている。
これにより、投入時に投入口でテーパー部を有するペットボトルおよびビンのみを投入し、テーパー部の無い空き缶やゴミ類などは投入できないようにしている。
また、従来型の分別収納装置の判別方式では、空容器の重量による判別を行っているために、例えばスチール缶とペットボトルは共に４０グラムほどのものがあるため、ペットボトルの判別はできないものになっている。また、飲み残しのある容器なども判別が困難なものになっている。
これに対して、本装置では重量による判別ではなく、ペットボトルおよびビンのテーパー部による形状判別を行うことにより、ペットボトルの判別や飲み残しのある容器などの判別も容易にできるようにしている。
また、ペットボトルの排出に当たっては、自治体などからキャップを外し潰してから排出するように要請されているが、本装置においてはテーパー部の有無により判別するので、キャップを外し潰して変形したペットボトルでも分別収納が普通のものと同じように容易にできるようにしている。
【００４１】
つぎに分別部のペットボトルおよびビンの分別傾斜板３３については、図５および図１２に示すように、ペットボトルおよびビンの分別傾斜板３３の中央部にペットボトルの直径寸法より少し小さい孔幅の分別孔３４を設けたものとしている。
そして、分別孔３４の孔幅より直径が大きいペットボトルは、分別孔３４の孔幅の潜り抜けができないために分別傾斜板３３の傾斜に沿って滑落し、ペットボトルおよびビンの分別仕切り３５で仕切ったペットボトルの収納部４０１に落下して分別収納されるようにしている。
一方、ペットボトルより直径寸法が小さいビンは、分別孔３４の孔幅を直に潜り抜け、その下のビンの収納部４０２に落下して分別収納されるようにしている。
また、分別孔３４の縁にホッパー状のガイドを設けて、投入したペットボトルおよびビンが分別孔３４に具合良く落し込まれるようにしている。
また、ペットボトルおよびビンの分別傾斜板３３の傾斜角度は３０度ほどにしてペットボトルが具合良くペットボトルの収納部４０１に滑落するようにしている。
【００４２】
つぎに、ペットボトルとビンの空飲料容器分別収納装置においては、一般に自動販売機などで販売されている清涼飲料の空容器であるペットボトルおよびビンを分別収納するものになっている。そして、それ以外の容器は投入口から投入できないようにしている。
しかし、各家庭から排出されるペットボトルや空ビンは、自動販売機で販売されている清涼飲料の空容器であるペットボトルやビンなどのほかに、これらの容器より大きめの醤油やミネラルウォーターなどのペットボトルの容器および酒類の空ビンおよびキャップ部を持たないコーヒーなどの食品の空ビンなども多く排出され、分別収納が必要になっている。
そこで、これらの対応手段として、家庭向け用の分別収納装置については、収納部のペットボトルおよびビンの取り出し扉に、これらの容器の専用投入口を設けて収納部に直接投入するか、または、収納部の取り出し扉を開けて、収納部に直接投入する方法で分別収納ができるようにしている。
【００４３】
つぎに、請求項４のペットボトルとビンの空飲料容器分別収納装置における最良の形態および実施例についてはつぎのとおりである。
【００４４】
請求項４のペットボトルとビンの空飲料容器分別収納装置においては、請求項３のペットボトルとビンの空飲料容器分別収納装置における網目状に配した弾力紐３２に替わって、図６に示すように、投入口３１の口縁部に弾力羽根４２を設けている。
そして、この弾力羽根４２以外の構成材であるペットボトルおよびビンの投入口３１、分別傾斜板３３、分別孔３４、分別仕切り３５、などの構成材については、請求項３のペットボトルとビンの空飲料容器分別収納装置と同じものとしている。
【００４５】
つぎに、弾力羽根４２については、図１０に示すように、ペットボトルおよびビンの投入口３１の口縁部にペットボトルおよびビンのテーパー部により直径方向に放射状に拡張収縮して開口する弾力羽根４２を放射状に配して設けている。
また、弾力羽根４２は、図１０および図１５に示すように、ペットボトルの胴体部が潜り抜けできる太さの先細テーパー管に縦方向の切り込みを入れ放射状に拡張収縮して開口するようにした構造のもので、ペットボトルおよびビンのテーパー部により直径方向に拡張収縮して開口するものとしている。
また、弾力羽根４２は、図１５に示すように、羽根が内向きのテーパー管状になっている。そして、弾力羽根の先端部を外側に折り曲げて、キャップ部の投入およびテーパー部による弾力羽根の拡張収縮がし易いようにしている。
一方、図１５の（ｄ）に示すように、空き缶などを投入した場合は、内向きのテーパー管状の全面を上から押し付けるようになるので、弾力羽根４２は外側に開かず内向きに窄まるようになり開口部が塞がって投入ができないようにしている。
これらにより、投入部において、テーパー部による弾力羽根４２の拡張収縮作用を有するペットボトルおよびビンのみを投入し、これらの作用を有しない空き缶や一般ゴミなどは投入できないようにしている。
また、従来型のように缶とビンの判別を重量により行うのではなく、テーパー部による弾力羽根４２の拡張収縮作用とこれによる弾力羽根の通過可否により判別を行うので、飲み残しのある缶や、重量が近似のペットボトルとスチール缶の判別なども容易にできるものになっている。
【００４６】
つぎに、請求項５のアルミ缶とスチール缶の空飲料容器分別収納装置およびペットボトルとビンの空飲料容器分別収納装置における最良の形態・実施例についてはつぎのとおりである。
【００４７】
前記の請求項１および請求項２のアルミ缶とスチール缶の空飲料容器分別収納装置における実施の形態、および、請求項３および請求項４のペットボトルとビンの空飲料容器分別収納装置における実施の形態のもとに、請求項１または請求項２のアルミ缶とスチール缶の空飲料容器分別収納装置と、請求項３または請求項４のペットボトルとビンの空飲料容器分別収納装置とを一体化的に組合せ、隣り合わせにセットにして設置する。
これによって、主に自動販売機などで販売されている飲料のアルミ缶とスチール缶およびペットボトルとビンの四種類の空容器を一つの個所で纏めて分別収納するようにしている。
また、自動販売機などで販売されている飲料の缶とペットボトルとビンの販売品目に合わせて、アルミ缶とスチール缶の空飲料容器分別収納装置とペットボトルとビンの空飲料容器分別収納装置をそれぞれ必要に合わせて別個に配備できるようにしている。例えば、缶入り飲料専用の自動販売機の周辺にはアルミ缶とスチール缶の空飲料容器分別収納装置だけを配備できるようにしている。
また、自動販売機が配備されている場所の設置位置や台数に合わせてアルミ缶とスチール缶およびペットボトルとビンの分別収納装置を設置できるようにしている。
【産業上の利用可能性】
【００４８】
主に自動販売機などで販売されている飲料の空容器であるアルミ缶とスチール缶およびペットボトルとビンの分別収納を行うアルミ缶とスチール缶の空飲料容器分別収納装置およびペットボトルとビンの空飲料容器分別収納装置として利用できる。
【図面の簡単な説明】
【００４９】
【図１】請求項１のアルミ缶とスチール缶の空飲料容器分別収納装置および請求項３のペットボトルとビンの空飲料容器分別収納装置を一体化的に組合せた請求項５の全体構造の斜視図である。
【図２】請求項２のアルミ缶とスチール缶の空飲料容器分別収納装置および請求項３のペットボトルとビンの空飲料容器分別収納装置を一体化的に組合せた請求項５の全体構造の斜視図である。
【図３】請求項１のアルミ缶とスチール缶の空飲料容器分別収納装置における全体構造の斜視図である。
【図４】請求項２のアルミ缶とスチール缶の空飲料容器分別収納装置における全体構造の斜視図である。
【図５】請求項３のペットボトルとビンの空飲料容器分別収納装置における全体構造の斜視図である。
【図６】請求項４のペットボトルとビンの空飲料容器分別収納装置における全体構造の斜視図である。
【図７】請求項１のアルミ缶とスチール缶の空飲料容器分別収納装置において、空き缶を空き缶分別傾斜板に投入し、アルミ缶とスチール缶に分別する状態を示す部分詳細の斜視図である。
【図８】請求項２のアルミ缶とスチール缶の空飲料容器分別収納装置において、空き缶を空き缶分別傾斜板に投入し、アルミ缶とスチール缶に分別する状態を示す部分詳細の斜視図である。
【図９】請求項３のペットボトルとビンの空飲料容器分別収納装置において、弾力紐の網目中央部にペットボトルおよびビンのキャップ部を挿入した状態を示す部分詳細の斜視図である。
【図１０】請求項４のペットボトルとビンの空飲料容器分別収納装置において、弾力羽根の中央部にペットボトルおよびビンのキャップ部を挿入した状態を示す部分詳細の斜視図である。
【図１１】請求項４のペットボトルとビンの空飲料容器分別収納装置において、投入部の投入口および弾力羽根、および、分別部の分別傾斜板、および、分別孔を示す部分詳細の斜視図である。
【図１２】（ａ）請求項３および請求項４のペットボトルとビンの空飲料容器分別収納装置において、ペットボトルを投入した場合には、分別孔を潜り抜けずに分別傾斜板の傾斜に沿ってペットボトルの収納部に落下する状態を示す部分詳細図である。（ｂ）ビンを投入した場合は、分別孔を潜り抜けて直下のビン収納部に分別収納する状態を示す部分詳細図である。
【図１３】（ａ）請求項３のペットボトルとビンの空飲料容器分別収納装置において、ペットボトルの胴体部が弾力紐の網目を潜り抜ける状態を示す部分詳細図である。  （ｂ）  弾力紐の網目を潜り抜けたペットボトルが、分別傾斜板の分別孔は潜り抜けできない状態を示す部分詳細図である。（ｃ）ビンの胴体部が、弾力紐の網目を潜り抜ける状態を示す部分詳細図である。（ｄ）弾力紐の網目を潜り抜けたビンが、分別傾斜板の分別孔も潜り抜ける状態を示す部分詳細図である。
【図１４】（ａ）請求項３のペットボトルとビンの空飲料容器分別収納装置において、弾力紐の網目中央部にペットボトルまたはビンのキャップ部を挿入した状態を示す部分詳細図である。  （ｂ）  ペットボトルまたはビンのテーパー部が、弾力紐の網目をペットボトルまたはビンの胴体の直径方向に拡張する状態を示す部分詳細図である。  （ｃ）ペットボトルまたはビンの胴体部が、弾力紐の網目を胴体の直径方向に拡張する状態を示す部分詳細図である。  （ｄ）テーパー部を持たない空き缶が、弾力紐の網目を直径方向に拡張できない状態を示す部分詳細図である。
【図１５】（ａ）請求項４のペットボトルとビンの空飲料容器分別収納装置において、弾力羽根の中央部にペットボトルまたはビンのキャップ部を挿入した状態を示す部分図である。  （ｂ）  ペットボトルまたはビンのテーパー部が、弾力羽根をペットボトルまたはビンの胴体の直径方向に拡張する状態を示す部分詳細図である。  （ｃ）ペットボトルまたはビンの胴体部が、弾力羽根をペットボトルまたはビンの胴体の直径方向にさらに拡張する状態を示す部分詳細図である。  （ｄ）テーパー部を持たない空き缶は、弾力羽根を直径方向に拡張できない状態を示す部分詳細図である。
【図１６】（ａ）請求項３のペットボトルとビンの分別収納装置において、弾力紐の網目中央部にペットボトルまたはビンのキャップ部を挿入した状態を示す平面の部分詳細図図である。  （ｂ）  ペットボトルまたはビンのテーパー部が、網目をペットボトルまたはビンの胴体の直径方向に拡張する状態を示す平面の部分詳細図である。  （ｃ）ペットボトルまたはビンの胴体部が、網目を胴体の直径方向に拡張する状態を示す平面の部分詳細図である。  （ｄ）テーパー部を持たない空き缶は、網目を直径方向に拡張できない状態を示す平面の部分詳細図である。
【符号の説明】
【００５０】
１  空き缶投入口
２  空き缶投入ガイド
３  空き缶分別傾斜板
４  永久磁石
５  空き缶分別仕切り
２１  空き缶投入口
２２  空き缶投入ガイド
２３  空き缶分別傾斜板
２４  永久磁石
２５  空き缶押し付け材
２６  空き缶載せ板
２７  空き缶分別仕切り
２８  押し付け弾力材
３１  ペットボトルおよびビンの投入口
３２  弾力紐
３３  ペットボトルおよびビンの分別傾斜板
３４  分別孔
３５  ペットボトルおよびビンの分別仕切り
３６  ペットボトルおよびビンのキャップ部
３７  ペットボトルおよびビンのテーパー部
３８  ペットボトルおよびビンの胴体部
３９  空き缶の端面
４２  弾力羽根
１００  アルミ缶およびスチール缶    
１０１  アルミ缶
１０２  スチール缶
２００  ペットボトルおよびビン
２０１  ペットボトル
２０２  ビン
３０１  アルミ缶の収納部
３０２  スチール缶の収納部
４０１  ペットボトルの収納部
４０２  ビンの収納部
【図１】
2005041671.tif 000003
【図２】
2005041671.tif 000004
【図３】
2005041671.tif 000005
【図４】
2005041671.tif 000006
【図５】
2005041671.tif 000007
【図６】
2005041671.tif 000008
【図７】
2005041671.tif 000009
【図８】
2005041671.tif 000010
【図９】
2005041671.tif 000011
【図１０】
2005041671.tif 000012
【図１１】
2005041671.tif 000013
【図１２】
2005041671.tif 000014
【図１３】
2005041671.tif 000015
【図１４】
2005041671.tif 000016
【図１５】
2005041671.tif 000017
【図１６】
2005041671.tif 000018